(57)【要約】【課題】従来、この種の継手は、下端に固定座を設けて所定高さ位置に継手を支持する単体の継手が用いられてきたが、高さ位置を固定した床面支持継手では寸法別に多くの種類を用意しなければならず、現場で臨機の対応ができないという問題があった。【解決手段】両端に配管接合機構１１、１２を備えた継手部材の側腹部に、支持杆を挿通する挿通孔を有する張出フランジ２を設けた本体と、床面への植設機構と前記本体張出フランジの挿通孔に挿通して本体を適宜位置に支持固定する固定機構を備えた支持杆３とによって高さ、角度を調整できるように構成した。【選択図】図１
2006214502.tif 000002
【特許請求の範囲】
【請求項１】
両端に配管接合機構を備えた継手部材の側腹部に、支持杆を挿通する挿通孔を有する張出フランジを設けた本体と、床面への植設機構と前記本体張出フランジの挿通孔に挿通して本体を適宜位置に支持固定する固定機構を備えた支持杆とから成る配管床面支持継手
【請求項２】
配管接合機構の一方を金属配管用継手とし、他方を樹脂配管用継手とした請求項１記載の配管床面支持継手
【請求項３】
本体継手部材をエルボ状に屈曲させるようにした請求項１又は請求項２記載の配管床面支持継手
【請求項４】
支持杆を、張出フランジの挿通孔の設定位置に対応して固定座金上に杆体を植設して構成するようにした請求項１又は請求項２又は請求項３記載の配管床面支持継手
【発明の詳細な説明】
【技術分野】
【０００１】
本発明は、住戸等の床面に水道配管を行う場合、特に配管時の屈曲に制約のある金属配管と自由に屈曲させて配管できる樹脂管との継手を床面上に支持固定する配管床面支持継手に関するものである。
【背景技術】
【０００２】
従来、床面や壁面に配管を継手接合して支持固定する場合には、例えば特許文献１に記載される水栓ボックス継手の取付けのように、継手に設けられた鍔部を開口部に当接させて固定する方法や鞘管や嵌入溝を用いたり、壁面に固定されたヘッダーを介して取り出し配管を行う（例えば特許文献２）などの施工が行われてきた。
【０００３】
また、下端に固定座を設けて所定高さ位置に継手を支持する単体の継手も用いられてきている。
【特許文献１】特開２００４−１６２８２４号公報
【特許文献２】特開２００２−１６１５６０号公報
【発明の開示】
【発明が解決しようとする課題】
【０００４】
しかしながら、最近の住戸における樹脂管の配管は、床高などの制約条件により従来の床用水栓ボックスや住宅内床設置型継手では対応できなくなってきており、床の高さに対応した固定的な床面支持継手が用いられるようになってきているものである。
【０００５】
更に、継手を支持しなければならない床面からの高さ位置も一定ではなく、固定的な床面支持継手では対応できなくなってきており、特に、金属管から樹脂管への取り出し配管などは設定環境が複雑化してきており、固定的な構造の継手では面倒な事前設計が必要となる問題がある。
【０００６】
また、水栓ボックス継手やヘッダーなどの構造継手ではコスト的に採算がとれず、高さ位置を固定した床面支持継手では寸法別に多くの種類を用意しなければならず、現場で臨機の対応ができないという問題があった。
【課題を解決するための手段】
【０００７】
本発明は上記した問題に鑑みこれに対応しようとするものであり、両端に配管接合機構を備えた継手部材の側腹部に、支持杆を挿通する挿通孔を有する張出フランジを設け、この挿通孔を挿通して継手本体を適宜位置に支持固定する固定機構を備えた支持杆を床面に植設して、床面や壁面の所定位置に支持杆を植設すれば床面から任意の高さ位置に継手部材を支持固定できるようにした。
【０００８】
また、配管接合機構の一方を金属配管用継手とし、他方を樹脂配管用継手として金属配管と樹脂配管の接合に対応し、更に、本体継手部材をエルボ状に屈曲させて異なる角度位置からの配管接合に対応できるように構成した。
【実施例】
【０００９】
以下、図面を参照して本発明の実施例を説明する。１は継手部材本体で、一端の配管接合機構は金属配管用継手１１、他端の配管接合機構は樹脂配管用継手１２となっており、本体胴部はエルボ状に屈曲１３している。なお、両端の配管接合機構は両方とも金属配管用或いは樹脂配管用であっても良く、本体胴部が直線状であっても良い。
【００１０】
図４は、一端の配管接合機構を金属配管用継手１１、他端の配管接合機構を樹脂配管用継手１２とした継手部材本体の実施例を示すもので、金属配管用継手１１には継手される金属配管を螺入する螺入孔１４が設けられ、その内壁に雌ねじ１５が刻設される。
【００１１】
樹脂配管用継手１２には、樹脂管を嵌入する嵌入部１６、その外側に袋ナット４と螺合する雄ねじ１７が刻設され、樹脂管を嵌入部に嵌入した後、リング４１を嵌装して袋ナット４を螺合して継手部１２に樹脂管が継手固定されるようになっている。
【００１２】
継手部材本体１の側腹部には、挿通孔２１を有する張出フランジ２が設けられ、支持杆３が挿通孔２１に自在に挿通し、張出フランジ２を介して継手部材本体１が支持杆３に設けられた支持固定機構によって所定位置に固定されるようになっている。
【００１３】
支持杆３は、固定座金３５上に張出フランジの挿通孔２１の設定位置に対応して杆体３１が植設され、杆体３１には全体に雄ねじ３２を刻設して固定ナット３３、押さえナット３４をを螺合して上下から張出フランジ２を挟圧固定するようになっている。
【００１４】
なお、支持杆３としては固定座金３５は必ずしも必要ではなく、また、図示のように一対の杆体３１をユニット的に纏める必要もない。即ち、杆体３１の下端が床面に植設できる構造であれば十分である。
【００１５】
先ず、固定座金３１を床面の所定位置にボルト締着等により設置し、支持杆３、３に固定ナット３３を螺合して継手支持高さの位置決めを行い、継手部材本体１の張出フランジの挿通孔２１を支持杆に挿通すれば、固定ナット３３の位置で停止し本体１が同位置に支持される。
【００１６】
そこで、上部から押さえナット３４をを螺合して上下から張出フランジ２を挟圧固定するので、継手部材本体１は床面から所定の高さ位置に支持固定されるものである。床面からの高さ位置は固定ナット３３によって自由に位置決めできるので、現場での配管設計を余裕をもって行うことができる。
【００１７】
本発明は以上のように構成したので、床高などの制約条件により従来の床用水栓ボックスや住宅内床設置型継手では対応できない部位においても、所定位置に継手部材本体を支持固定することができ、これを基礎に幅広い継手機能を発揮することができたものである。
【００１８】
また、本体胴部のエルボ状屈曲１３により、様々な角度方向からの配管継手が可能となるので、床面取り出し配管など従来特別な対応が必要であった配管設計についても容易に対応できるので、最近の住戸における樹脂管の配管設計にも十分活用できる。
【図面の簡単な説明】
【００１９】
【図１】本発明の実施例による配管床面支持継手を示すもので、継手部材            本体を床面に支持固定した状態の全体側面図
【図２】同じく、図１の背面図
【図３】同じく、図１の平面図
【図４】同じく、配管接合機構の一方を金属配管用継手とし、他方を樹脂            配管用継手とした継手部材本体の左半分を縦断面図として内部構造を示す継手部材本体の側面図
【符号の説明】
【００２０】
１  継手部材本体
１１  金属配管用継手
１２  樹脂配管用継手
１３  本体胴部のエルボ状屈曲
１４  金属配管螺入孔
１５  金属配管螺入孔内壁の雌ねじ
１６  樹脂配管用継手の樹脂管嵌入部
１７  樹脂配管用継手の樹脂管嵌入部雄ねじ
２  張出フランジ
２１  張出フランジの挿通孔
２２  本管内壁ライニング層
３  支持杆
３１  支持杆の杆体
３２  杆体の雄ねじ
３３  固定ナット
３４  押さえナット
３５  支持杆体の固定座金
４  袋ナット
４１  樹脂管嵌入部に着装するリング
【図１】
2006214502.tif 000003
【図２】
2006214502.tif 000004
【図３】
2006214502.tif 000005
【図４】
2006214502.tif 000006